(57)【特許請求の範囲】
【請求項１】
ガスコンロ本体の上部の天板に設けた開口から臨む複数のコンロバーナと、前記ガスコンロ本体の前面部に設けられて前記複数のコンロバーナの点消火のためにそれぞれ操作される複数の点消火ボタンと、複数のコンロバーナに燃料ガスをそれぞれ供給する複数のガス流路にそれぞれ設けられて、対応する前記点消火ボタンの点火操作によって開弁する複数のメイン弁と、前記コンロバーナを点火する点火装置と、前記点火装置を制御する制御手段とを備えるガスコンロであって、
前記コンロバーナの点火を事前に報知するための報知手段を備え、
前記制御手段は、前記報知手段を制御するものであって、前記点消火ボタンの点火操作に応答して、コンロバーナの点火を前記報知手段によって事前に報知した後、前記点火装置によって、前記点火操作に対応するコンロバーナを点火するものであり、
前記点消火ボタンは、前記ガスコンロ本体の前面部から前方側へ突出しており、
前記報知手段は、異なる態様での報知が可能であり、
前記制御手段は、点火するコンロバーナの前記天板における位置に応じて、前記報知手段による報知の態様を異ならせる、
ことを特徴とするガスコンロ。
【請求項２】
ガスコンロ本体の上部の天板に設けた開口から臨む複数のコンロバーナと、前記ガスコンロ本体の前面部に設けられて前記複数のコンロバーナの点消火のためにそれぞれ操作される複数の点消火ボタンと、複数のコンロバーナに燃料ガスをそれぞれ供給する複数のガス流路にそれぞれ設けられて、対応する前記点消火ボタンの点火操作によって開弁する複数のメイン弁と、前記コンロバーナを点火する点火装置と、前記点火装置を制御する制御手段とを備えるガスコンロであって、
前記コンロバーナの点火を事前に報知するための報知手段を備え、
前記制御手段は、前記報知手段を制御するものであって、前記点消火ボタンの点火操作に応答して、コンロバーナの点火を前記報知手段によって事前に報知した後、前記点火装置によって、前記点火操作に対応するコンロバーナを点火するものであり、
前記複数のコンロバーナとして、前記天板の前方側に位置する前方側コンロバーナと、前記天板の後方側に位置する後方側コンロバーナとを備え、
前記制御手段は、前記報知手段による前記事前の報知を行う報知時間を、点火するコンロバーナが、前記前方側コンロバーナであるときには、前記後方側コンロバーナであるときに比べて長くする、
ことを特徴とするガスコンロ。
【請求項３】
ガスコンロ本体の上部の天板に設けた開口から臨む複数のコンロバーナと、前記ガスコンロ本体の前面部に設けられて前記複数のコンロバーナの点消火のためにそれぞれ操作される複数の点消火ボタンと、複数のコンロバーナに燃料ガスをそれぞれ供給する複数のガス流路にそれぞれ設けられて、対応する前記点消火ボタンの点火操作によって開弁する複数のメイン弁と、前記コンロバーナを点火する点火装置と、前記点火装置を制御する制御手段とを備えるガスコンロであって、
前記コンロバーナの点火を事前に報知するための報知手段を備え、
前記制御手段は、前記報知手段を制御するものであって、前記点消火ボタンの点火操作に応答して、コンロバーナの点火を前記報知手段によって事前に報知した後、前記点火装置によって、前記点火操作に対応するコンロバーナを点火するものであり、
前記複数のコンロバーナとして、前記天板の前方側に位置する前方側コンロバーナと、前記天板の後方側に位置する後方側コンロバーナとを備え、
前記報知手段は、音によって報知するものであり、
前記制御手段は、前記事前に報知する音量を、点火するコンロバーナが、前記前方側コンロバーナであるときには、前記後方側コンロバーナであるときに比べて大きくする、
ことを特徴とするガスコンロ。
【請求項４】
ガスコンロ本体の上部の天板に設けた開口から臨む複数のコンロバーナと、前記ガスコンロ本体の前面部に設けられて前記複数のコンロバーナの点消火のためにそれぞれ操作される複数の点消火ボタンと、複数のコンロバーナに燃料ガスをそれぞれ供給する複数のガス流路にそれぞれ設けられて、対応する前記点消火ボタンの点火操作によって開弁する複数のメイン弁と、前記コンロバーナを点火する点火装置と、前記点火装置を制御する制御手段とを備えるガスコンロであって、
前記コンロバーナの点火を事前に報知するための報知手段を備え、
前記制御手段は、前記報知手段を制御するものであって、前記点消火ボタンの点火操作に応答して、コンロバーナの点火を前記報知手段によって事前に報知した後、前記点火装置によって、前記点火操作に対応するコンロバーナを点火するものであり、
前記複数のコンロバーナとして、前記天板の前方側に位置する前方側コンロバーナと、前記天板の後方側に位置する後方側コンロバーナとを備え、
前記報知手段は、光によって報知するものであり、
前記制御手段は、前記事前に報知する光量を、点火するコンロバーナが、前記前方側コンロバーナであるときには、前記後方側コンロバーナであるときに比べて大きくする、
ことを特徴とするガスコンロ。
【請求項５】
前記複数の各メイン弁は、前記複数の各点消火ボタンの点火操作に連動してそれぞれ開弁するものであり、
前記複数の各ガス流路の前記複数の各メイン弁に直列にそれぞれ接続されて、前記制御手段によって開閉が制御される複数の開閉弁を備え、
前記制御手段は、前記点消火ボタンの点火操作の時点から所定時間遅延した時点で、該点火操作に対応する前記開閉弁を開弁する、
請求項１ないし４のいずれかに記載のガスコンロ。
【請求項６】
コンロバーナ上の所定の加熱位置における調理容器を検知して検知出力を前記制御手段に与える容器検知手段を備え、
前記制御手段は、前記容器検知手段によって調理容器が検知されている場合には、前記点消火ボタンの点火操作の時点から前記所定時間遅延した時点で、該点火操作に対応する前記開閉弁を開弁し、前記容器検知手段によって調理容器が検知されていない場合には、前記点火操作の時点から前記所定時間遅延しても、該点火操作に対応する前記開閉弁を開弁することなく閉弁状態を維持すると共に、前記点火装置による前記点火操作に対応するコンロバーナの点火を行わない、
請求項５に記載のガスコンロ。
【発明の詳細な説明】
【技術分野】
【０００１】
本発明は、ガスコンロに関する。
【背景技術】
【０００２】
ガスコンロには、ガスコンロ本体の上部を覆う天板の前方側（使用者に近い側）の左右に、前方側のコンロバーナとして２つ、天板の後方側の中央に、後方側のコンロバーナとして１つの合計３つのコンロバーナが配置される一方、ガスコンロ本体の左右方向の中央部に配置されたグリル庫内に、グリルバーナを備えたものがある。
【０００３】
かかるガスコンロとして、例えば、特許文献１に示すように、３つの前記コンロバーナと前記グリルバーナとをそれぞれ点消火するための４つの点消火ボタンを、前記グリル庫の前面開口を開閉するグリル扉を挟んで、その左右の両側に、２つずつ、すなわち、一対ずつ配置したものがある。各点消火ボタンは、ガスコンロ本体の前方側へ突出する前端側部分をそれぞれ有しており、この突出した前端側部分を、操作部として押し操作することができる。
【０００４】
このガスコンロでは、グリル扉の左右両側の一対の点消火ボタン、すなわち、２つの点消火ボタンは、ガスコンロ本体の左右方向（横幅方向）に沿って隣接してそれぞれ配置されると共に、この隣接する２つの点消火ボタンの間に、点消火ボタンの前端側部分と同じ形状部分を有して点消火ボタンと同様に前方側に突出する中間部材を配設している。この中間部材は、点消火ボタンの操作方向と同方向への移動が不能であり、点消火ボタンのように押し操作することはできない。
【先行技術文献】
【特許文献】
【０００５】
【特許文献１】特開２０１４−０４４０３０号公報
【発明の概要】
【発明が解決しようとする課題】
【０００６】
特許文献１では、上記のように、一対の点消火ボタン、すなわち、隣接して並ぶ２つの点消火ボタンの間に、点消火ボタンの操作部となる前端側部分と同じ形状部分を有する押し操作不能の中間部材を配設しているので、使用者が、２つの点消火ボタンの一方の点消火ボタンを押し操作する場合に、誤って、手指が一方の点消火ボタンから他方側へはみ出すようなことがあっても、前記中間部材が存在するので、一方の点消火ボタンの押し操作が、他方の点消火ボタンに及ぶことがなく、意図せずに他方の点消火ボタンが押し操作されるのを回避することができる。
【０００７】
しかしながら、使用者の身体の一部が、ガスコンロ本体の前面部から前方側へ突出した点消火ボタンの前端側部分に不用意に接触して、押し操作していまい、コンロバーナが意図せずに点火してしまう虞がある。
【０００８】
特に、使用者に近い側である天板の前方側に配置された前方側のコンロバーナが、意図せずに点火してしまい使用者が驚くといった事態が生じるのは好ましくなく、改善が望まれる。
【０００９】
本発明は、上記のような点に鑑みてなされたものであって、使用者が意図せずに、コンロバーナの点消火ボタンを無意識に操作してコンロバーナが点火しても使用者が驚くことがないようにしたガスコンロを提供することを目的とする。
【課題を解決するための手段】
【００１０】
上記目的を達成するために、本発明では次のように構成している。
【００１１】
（１）本発明のガスコンロは、ガスコンロ本体の上部の天板に設けた開口から臨む複数のコンロバーナと、前記ガスコンロ本体の前面部に設けられて前記複数のコンロバーナの点消火のためにそれぞれ操作される複数の点消火ボタンと、複数のコンロバーナに燃料ガスをそれぞれ供給する複数のガス流路にそれぞれ設けられて、対応する前記点消火ボタンの点火操作によって開弁する複数のメイン弁と、前記コンロバーナを点火する点火装置と、前記点火装置を制御する制御手段とを備えるガスコンロであって、
前記コンロバーナの点火を事前に報知するための報知手段を備え、
前記制御手段は、前記報知手段を制御するものであって、前記点消火ボタンの点火操作に応答して、コンロバーナの点火を前記報知手段によって事前に報知した後、前記点火装置によって、前記点火操作に対応するコンロバーナを点火するものであり、
前記点消火ボタンは、前記ガスコンロ本体の前面部から前方側へ突出しており、前記報知手段は、異なる態様での報知が可能であり、前記制御手段は、点火するコンロバーナの前記天板における位置に応じて、前記報知手段による報知の態様を異ならせる。
【００１２】
本発明によると、使用者の身体の一部が、ガスコンロ本体の前面部の点消火ボタンに、無意識に接触して点消火ボタンを点火操作してしまってコンロバーナが意図せずに点火しても、コンロバーナが点火する前に、報知手段によって、コンロバーナを点火することが事前に使用者に報知されるので、使用者は、コンロバーナが点火することを事前に認識できることになる。これによって、コンロバーナの点火に驚くといった事態が生じるのを回避することができ、使い勝手の良いガスコンロとなる。
【００１４】
本発明によると、点消火ボタンは、ガスコンロ本体の前面部から前方側へ突出しているので、使用者の身体の一部が、意図せずに点消火ボタンに接触し易くなり、意図せずに点火操作してしまう虞が多い。しかし、使用者が、点消火ボタンを意図せずに点火操作しても、コンロバーナが点火することが、事前に報知されるので、使用者が、コンロバーナの点火に驚くといった事態が生じるのを回避することができる。
【００１５】
また、点火するコンロバーナの天板における位置に応じて、報知の態様を異ならせるので、報知の態様によって、天板における複数のコンロバーナの内、どの位置のコンロバーナが点火するかを使用者に認識させたり、あるいは、使用者に対して、コンロバーナが点火することを認識させる認識の度合いを変えるといったことが可能となる。
【００１６】
（２）本発明のガスコンロは、ガスコンロ本体の上部の天板に設けた開口から臨む複数のコンロバーナと、前記ガスコンロ本体の前面部に設けられて前記複数のコンロバーナの点消火のためにそれぞれ操作される複数の点消火ボタンと、複数のコンロバーナに燃料ガスをそれぞれ供給する複数のガス流路にそれぞれ設けられて、対応する前記点消火ボタンの点火操作によって開弁する複数のメイン弁と、前記コンロバーナを点火する点火装置と、前記点火装置を制御する制御手段とを備えるガスコンロであって、
前記コンロバーナの点火を事前に報知するための報知手段を備え、
前記制御手段は、前記報知手段を制御するものであって、前記点消火ボタンの点火操作に応答して、コンロバーナの点火を前記報知手段によって事前に報知した後、前記点火装置によって、前記点火操作に対応するコンロバーナを点火するものであり、
前記複数のコンロバーナとして、前記天板の前方側に位置する前方側コンロバーナと、前記天板の後方側に位置する後方側コンロバーナとを備え、
前記制御手段は、前記報知手段による前記事前の報知を行う報知時間を、点火するコンロバーナが、前記前方側コンロバーナであるときには、前記後方側コンロバーナであるときに比べて長くする。
【００１７】
本発明によると、点消火ボタンの点火操作によって点火するコンロバーナが、使用者に近い側である前方側コンロバーナであるときには、使用者から遠い側である後方側コンロバーナであるときに比べて、事前の報知を行う報知時間を長くするので、使用者に近い側の前方側コンロバーナが点火することを、より確実に使用者に認識させることが可能となる。
【００１８】
（３）本発明のガスコンロは、ガスコンロ本体の上部の天板に設けた開口から臨む複数のコンロバーナと、前記ガスコンロ本体の前面部に設けられて前記複数のコンロバーナの点消火のためにそれぞれ操作される複数の点消火ボタンと、複数のコンロバーナに燃料ガスをそれぞれ供給する複数のガス流路にそれぞれ設けられて、対応する前記点消火ボタンの点火操作によって開弁する複数のメイン弁と、前記コンロバーナを点火する点火装置と、前記点火装置を制御する制御手段とを備えるガスコンロであって、
前記コンロバーナの点火を事前に報知するための報知手段を備え、
前記制御手段は、前記報知手段を制御するものであって、前記点消火ボタンの点火操作に応答して、コンロバーナの点火を前記報知手段によって事前に報知した後、前記点火装置によって、前記点火操作に対応するコンロバーナを点火するものであり、
前記複数のコンロバーナとして、前記天板の前方側に位置する前方側コンロバーナと、前記天板の後方側に位置する後方側コンロバーナとを備え、
前記報知手段は、音によって報知するものであり、
前記制御手段は、前記事前に報知する音量を、点火するコンロバーナが、前記前方側コンロバーナであるときには、前記後方側コンロバーナであるときに比べて大きくする。
【００１９】
本発明によると、点消火ボタンの点火操作によって点火するコンロバーナが、使用者に近い側である前方側コンロバーナであるときには、使用者から遠い側である後方側コンロバーナであるときに比べて、事前の報知を行う音量を大きくするので、使用者に近い側の前方側コンロバーナが点火することを、音によって一層確実に使用者に認識させることが可能となる。
【００２１】
（４）本発明のガスコンロは、ガスコンロ本体の上部の天板に設けた開口から臨む複数のコンロバーナと、前記ガスコンロ本体の前面部に設けられて前記複数のコンロバーナの点消火のためにそれぞれ操作される複数の点消火ボタンと、複数のコンロバーナに燃料ガスをそれぞれ供給する複数のガス流路にそれぞれ設けられて、対応する前記点消火ボタンの点火操作によって開弁する複数のメイン弁と、前記コンロバーナを点火する点火装置と、前記点火装置を制御する制御手段とを備えるガスコンロであって、
前記コンロバーナの点火を事前に報知するための報知手段を備え、
前記制御手段は、前記報知手段を制御するものであって、前記点消火ボタンの点火操作に応答して、コンロバーナの点火を前記報知手段によって事前に報知した後、前記点火装置によって、前記点火操作に対応するコンロバーナを点火するものであり、
前記複数のコンロバーナとして、前記天板の前方側に位置する前方側コンロバーナと、前記天板の後方側に位置する後方側コンロバーナとを備え、
前記報知手段は、光によって報知するものであり、
前記制御手段は、前記事前に報知する光量を、点火するコンロバーナが、前記前方側コンロバーナであるときには、前記後方側コンロバーナであるときに比べて大きくする。
【００２２】
本発明によると、点消火ボタンの点火操作によって点火するコンロバーナが、使用者に近い側である前方側コンロバーナであるときには、使用者から遠い側である後方側コンロバーナであるときに比べて、事前の報知を行う光量を大きくするので、使用者に近い側の前方側コンロバーナが点火することを、光によって一層確実に使用者に認識させることが可能となる。
【００２３】
（５）本発明の他の実施態様では、前記複数の各メイン弁は、前記複数の各点消火ボタンの点火操作に連動してそれぞれ開弁するものであり、前記複数の各ガス流路の前記複数の各メイン弁に直列にそれぞれ接続されて、前記制御手段によって開閉が制御される複数の開閉弁を備え、前記制御手段は、前記点消火ボタンの点火操作の時点から所定時間遅延した時点で、該点火操作に対応する前記開閉弁を開弁する。
【００２４】
この実施態様によると、点消火ボタンの点火操作に連動して、対応するガス流路のメイン弁が開弁されるが、メイン弁に直列の開閉弁は、点火操作の時点から所定時間が経過するまでは開弁されず、閉弁状態が維持されるので、メイン弁が開弁されても点火操作に対応するコンロバーナには、燃料ガスが供給されず、点火することはできない。このように点火操作の時点から所定時間が経過する時点までコンロバーナへの燃料ガスの供給のタイミングを遅延させることによって、その間に報知手段による事前の報知を行うことが可能となる。
【００２５】
（６）本発明の更に他の実施態様では、コンロバーナ上の所定の加熱位置における調理容器を検知して検知出力を前記制御手段に与える容器検知手段を備え、前記制御手段は、前記容器検知手段によって調理容器が検知されている場合には、前記点消火ボタンの点火操作の時点から前記所定時間遅延した時点で、該点火操作に対応する前記開閉弁を開弁し、前記容器検知手段によって調理容器が検知されていない場合には、前記点火操作の時点から前記所定時間遅延しても、該点火操作に対応する前記開閉弁を開弁することなく閉弁状態を維持すると共に、前記点火装置による前記点火操作に対応するコンロバーナの点火を行わない。
【００２６】
この実施態様によると、容器検知手段によって調理容器が検知されていない場合には、点火操作の時点から所定時間遅延しても、該点火操作に対応する前記開閉弁を開弁することなく閉弁状態を維持すると共に、前記点火装置による前記点火操作に対応するコンロバーナの点火を行わなので、調理容器がコンロバーナ上に存在しないときに、コンロバーナが点火されることはない。
また、報知手段による事前の報知のために使用される開閉弁を、調理容器が存在しない場合のコンロバーナの点火禁止の制御にも利用することができる。
【発明の効果】
【００２７】
本発明によれば、使用者の身体の一部が、ガスコンロ本体の前面部の点消火ボタンに、無意識に接触して点消火ボタンを点火操作してしまってコンロバーナが意図せずに点火しても、コンロバーナが点火する前に、報知手段によって、コンロバーナが点火することが使用者に事前に報知されるので、使用者は、コンロバーナが点火することを事前に認識できることになり、コンロバーナの点火に驚くといった事態が生じるのを回避することができ、使い勝手の良いガスコンロとなる。
【図面の簡単な説明】
【００２８】
【図１】本発明の一実施形態のガスコンロの全体斜視図である。
【図２】図１のガスコンロのコンロバーナの断面図である。
【図３】図１のガスコンロの開閉式の操作部を開放した状態を示す全体斜視図である。
【図４】図１のガスコンロの点消火ボタン付近の一部拡大図である。
【図５】図１のガスコンロ１のコンロバーナへのガス供給及びその制御を説明するための概略構成図である。
【図６】図１のガスコンロのガス弁ブロックの概略断面図である。
【図７】点消火ボタンとバルブ開閉状態との関係を示す要部の縦断面図である。
【発明を実施するための形態】
【００２９】
以下、本発明の実施形態について図面を参照しながら詳細に説明する。
【００３０】
図１は、本発明の一実施形態に係るガスコンロの全体斜視図である。この実施形態のガスコンロ１は、ガスコンロ本体２の上部に、ガラス製の天板５が配置され、この天板５に形成された開口から臨むコンロバーナ３として、高火力バーナ３Ａ、小火力バーナ３Ｂ及び高火力バーナ３Ｃを備えている。ガスコンロ本体２の左右方向（横幅方向）の中央部には、グリル庫４を備えており、このグリル庫４には、図示しないグリルバーナが備えられている。
【００３１】
高火力バーナ３Ａ，３Ｃは、天板５の前方側（使用者に近い側）の左右に配置される２つの前方側コンロバーナであり、小火力バーナ３Ｂは、天板５の後方側の中央に配置される１つの後方側コンロバーナである。
【００３２】
天板５上には、各コンロバーナ３Ａ〜３Ｃにて加熱される鍋等の調理容器を載置するための五徳７が、３つのコンロバーナ３Ａ〜３Ｃの夫々に対応して設けられている。
【００３３】
このガスコンロ１は、図示は省略するが、キッチンキャビネットの上方開口部から下方に挿入されてキッチンキャビネットに組み付けられる、いわゆるビルトインタイプとして構成されるものであり、キッチンキャビネットに組み付けられた状態においては、ガスコンロ本体２の前面部が、キッチンキャビネットの前面開口に臨ませた状態となる。
【００３４】
なお、ガスコンロ本体２の横側壁における前方側箇所には、ガスコンロ本体２の横端部と前面開口との間の隙間を塞ぐ左右一対のサイドカバー８，８が装着されている。
【００３５】
各コンロバーナ３には、図２に示すように、所定の加熱位置である五徳７上に載置される調理容器を検知する容器検知手段２５と、調理容器の下面の温度を検知する温度センサ２６とが設けてある。容器検知手段２５は、ガスコンロ１に固定される支持部２５ａと、支持部２５ａに上下方向に移動自在に支持される可動部２５ｂと、可動部２５ｂの上下位置を検知する検知スイッチ２５ｃと、で構成される。可動部２５ｂは、ばね等の付勢手段（図示せず）により上方に付勢され、その上端部は五徳７よりも上方に突出する。
【００３６】
この状態で五徳７上に調理容器が載置されると、可動部２５ｂの上端部が調理容器の下面によって押し下げられ、可動部２５ｂの下動に伴い検知スイッチ２５ｃにより下動が検知され、後述の図５に示される制御手段としてのマイクロコンピュータ等からなる制御部５０に認識される。そして、可動部２５ｂの上端部に上記温度センサ２６が設けられ、調理容器が五徳７上に載置された時に調理容器の下面に当接して温度を検出し、検出温度は制御部５０に認識される。
【００３７】
図１に示すように、ガスコンロ本体２の前面部には、グリル庫４を左右から挟んで前面パネル９，９が設けられ、各前面パネル９，９の下方には、図３にその開放状態が示される開閉式の操作部１０，１０が設けられる。この操作部１０，１０は、図１に示される閉止状態では、その前面と前面パネル９，９とが面一となる。
【００３８】
左方の前面パネル９には、押し操作の度に、高火力バーナ３Ａ及び小火力バーナ３Ｂの点消火をそれぞれ行うための点消火ボタン１１Ａ，１１Ｂが備えられ、その上方に、左右のスライド操作によって高火力バーナ３Ａ及び小火力バーナ３Ｂの火力をそれぞれ手動調節する火力調節レバー１２Ａ，１２Ｂが備えられる。また、点消火ボタン１１Ａ，１１Ｂと火力調節レバー１２Ａ，１２Ｂとの間には、各バーナ３Ａ，３Ｂが燃焼状態であることを点灯表示する燃焼ランプ１６Ａ，１６Ｂが備えられる。
【００３９】
一対の点消火ボタン１１Ａ，１１Ｂは、図４の一部拡大図に示すように、ガスコンロ本体２の左右方向に沿って隣接して配置されると共に、両点消火ボタン１１Ａ，１１Ｂの間には、ガスコンロ本体２の左右方向である横方向から見た側方視において、点消火ボタン１１Ａ，１１Ｂの前方側へ突出した前端側部分と同形状部分を有する中間部材１４が配設されている。この中間部材１４は、点消火ボタン１１Ａ，１１Ｂの押し操作方向と同方向への移動が不能であり、押し操作できないように構成されている。
【００４０】
点消火ボタン１１Ａ，１１Ｂは、図１に示すように、押し操作されていない消火位置において、ガスコンロ本体２の前方側へ突出する前端側部分が、前面パネル９の前面から距離Ｄ１だけ前方へ突出している。中間部材１４も同様に距離Ｄ１だけ前方へ突出している。
【００４１】
ガスコンロ本体２の側方視において、点消火ボタン１１Ａ，１１Ｂの前端側部分と同形状部分を有する中間部材１４が、ガスコンロ本体の左右方向に沿って並ぶ一対の点消火ボタン１１Ａ，１１Ｂの間に配設されているので、一対の点消火ボタン１１Ａ，１１Ｂの一方側の点消火ボタン１１Ａ（または１１Ｂ）を押し操作する際に、誤って、手指が他方側にはみ出して押し操作するようなことがあっても、中間部材１４は押し操作できないので、他方側の点消火ボタン１１Ｂ（または１１Ａ）が押し操作されることを回避することができる。すなわち、一対の点消火ボタン１１Ａ，１１Ｂの一方側を操作する際に、他方側の点消火ボタンを誤って操作する誤操作状態が発生する不都合を回避することができる。
【００４２】
右方の前面パネル９には、押し操作の度に高火力バーナ３Ｃ及びグリルバーナの点消火をそれぞれ行うための点消火ボタン１１Ｃ，１１Ｄが備えられ、その上方に、左右のスライド操作によって高火力バーナ３Ｃの火力を手動調節する火力調節レバー１２Ｃ及びグリルバーナの火力を切替え調節する火力切替スイッチ１３が備えられる。また、点消火ボタン１１Ｃと火力調節レバー１２Ｃとの間には、高火力バーナ３Ｃが燃焼状態であることを表示する燃焼ランプ１６Ｃが備えられる。
【００４３】
一対の点消火ボタン１１Ｃ，１１Ｄは、一対の点消火ボタン１１Ａ，１１Ｂと同様に、ガスコンロ本体２の左右方向に沿って隣接して配置されると共に、両点消火ボタン１１Ｃ，１１Ｄの間には、中間部材１４が配設されている
一対の点消火ボタン１１Ｃ，１１Ｄも、一対の点消火ボタン１１Ａ，１１Ｂと同様に、押し操作されていない消火位置において、その前端側部分が、前面パネル９の前面から距離Ｄ１だけ前方へ突出し、中間部材１４も同様に距離Ｄ１だけ前方へ突出している。
【００４４】
左方の開閉式の操作部１０は、図３に示す開放状態において、高火力バーナ３Ａ及び小火力バーナ３Ｂに対する運転情報を設定するものであって、具体的には、燃焼している高火力バーナ３Ａ及び小火力バーナ３Ｂを設定時間が経過すると自動的に消火するタイマ運転や、やかん等の被加熱容器に収納した湯水が沸騰すると、燃焼している高火力バーナ３Ａ及び小火力バーナ３Ｂを自動的に消火する湯沸し運転等、各種の運転を実行するための運転情報を設定することができる。
【００４５】
右方の開閉式の操作部１０は、図３に示す開放状態において、高火力バーナ３Ｃ及びグリルバーナに対する運転情報を設定するものであって、具体的には、高火力バーナ３Ｃについては、高火力バーナ３Ａ及び小火力バーナ３Ｂと同様に、タイマ運転や湯沸し運転等の各種の運転を実行するための運転情報を設定することができる。
【００４６】
また、グリルバーナについては、燃焼しているグリルバーナを設定時間が経過すると自動的に消火するタイマ運転や、燃焼排気温度に基づいて被調理物が焼き上がったと判定すると、燃焼しているグリルバーナを自動的に消火する自動運転等、各種の運転を実行するための運転情報を設定することができる。
【００４７】
グリル庫４は、ガスコンロ本体２の左右方向の中央の前面開口を開閉するグリル扉１５を備えている。このグリル扉１５は、グリル庫４内に収容する焼き網等を支持する支持フレーム（図示せず）の前端が連結されている。このグリル扉１５の前面の下部には、左右方向に沿って延びる前方側へ突出し把持部１５Ａが備えられており、この把持部１５Ａを把持してグリル扉１５を出し入れしてグリル庫４の前面開口を開閉操作する。
【００４８】
このグリル扉１５を閉止した状態では、グリル扉１５の前面１５Ｂと、点消火ボタン１１Ａ〜１１Ｄが設けられた前面パネル９，９は、面一となる。
【００４９】
グリル扉１５の把持部１５Ａの前方側へ突出した前端側部分は、図１に示すように、グリル扉１５の前面１５Ｂから前方側へ距離Ｄ２だけ突出している。
【００５０】
このグリル扉１５の把持部１５Ａの前方側へ突出する距離Ｄ２は、点消火ボタン１１Ａ〜１１Ｄ及び中間部材１４が、前方側へ突出する上記距離Ｄ１以上（Ｄ２≧Ｄ１）であるのが好ましく、この実施形態では、Ｄ２＞Ｄ１としている。
【００５１】
図５は、ガスコンロ１のコンロバーナ３Ａ〜３Ｃおよびグリルバーナへの燃料ガスの供給及びその制御を説明するための概略構成図であり、グリルバーナについては、従来と同様であるので、その一部は省略している。
【００５２】
また、図６は、各バーナへ燃料ガスの供給及び遮断を行うガス弁ブロック１０６の概略断面図であり、図５に対応する部分には、同一の参照符号を付す。この図６は、後述するメイン弁（主弁）６３が開かれている状態が示されている。なお、このガス弁ブロック１０６は、コンロバーナ３Ａ〜３Ｃおよびグリルバーナに対して同一仕様となっている。また、小火力バーナ３Ｂは、高火力バーナ３Ａ，３Ｃに比べて、ノズル径が小さくなっている。
【００５３】
グリルバーナについては、従来と同様であるので、以下では、各コンロバーナ３Ａ〜３Ｃについて主に説明する。
【００５４】
各コンロバーナ３Ａ〜３Ｃには、高圧パルスによって、燃料ガスの吐出口に設けられる点火プラグに放電を起こさせて点火する点火装置２３が設けられており、この点火装置２３は、制御部５０によって制御される。
【００５５】
また、各コンロバーナ３Ａ〜３Ｃには、バーナの着火状態を検知するための熱電対を有する点火検知装置２４が設けられており、この点火検知装置２４の検知出力が、制御部５０へ与えられる。
【００５６】
制御部５０には、上記図２に示される容器検知手段２５及び温度センサ２６の検知出力が与えられる。
【００５７】
ガス弁ブロック１０６は、器具栓本体６０に、内部のガス流路６１と、ガス流路６１の上流端となる導入口６１ａ及び下流端となる導出口６１ｂとが設けてある。内部のガス流路６１には、上流側より安全弁６２用の弁孔、メイン弁（主弁）６３用の弁孔が設けてある。メイン弁（主弁）６３用の弁孔の下流側は、大火用の流路６１ｃと小火用の流路６１ｄとが並列に設けてあり、大火用の流路６１ｃに、大火力／小火力切替用の第１ラッチ式電磁弁ＬＢ１用の弁孔が設けてあり、小火用の流路６１ｄに、第２ラッチ式電磁弁ＬＢ２用の弁孔が設けてある。
【００５８】
この実施形態では、第１ラッチ式電磁弁ＬＢ１及び第２ラッチ式電磁弁ＬＢ２は、図５に示すように、各コンロバーナ３Ａ〜３Ｃに、それぞれ燃料ガスを供給するガス流路６１にそれぞれ設けられた各メイン弁（主弁）６３に対して直列に接続された開閉弁であって、その開閉が、制御部５０によって後述のように制御される。なお、大火力と小火力との切替えを行わない場合には、第１，第２ラッチ式電磁弁ＬＢ１，ＬＢ２のいずれか一方のラッチ式電磁弁及びその流路を省略してもよい。
【００５９】
第１ラッチ式電磁弁ＬＢ１の弁孔の下流側と、第２ラッチ式電磁弁ＬＢ２の下流側に位置する小火用オリフィスｏｆ２の下流側とで、大火用の流路６１ｃと小火用の流路６１ｄとが合流し、さらにその下流側には、火力調節レバー１２と連動する流量制御弁６５用の弁孔が設けてある。
【００６０】
また、ガス流路６１には、前記第１ラッチ式電磁弁ＬＢ１及び第２ラッチ式電磁弁ＬＢ２を設けた部分をバイパスするバイパス流路ＢＰが設けてあり、このバイパス流路ＢＰにバイパス用オリフィスｏｆ１が設けてある。バイパス用オリフィスｏｆ１は、ガス弁ブロック１０６を複数機種で共用するために設けられるもので、ガス弁ブロック１０６を他の機種への応用において使用する時には開口される場合があるが、本実施形態においては、バイパス用オリフィスｏｆ１は閉塞体（図示せず）により閉塞されている。
【００６１】
火力調節レバー１２を中火から大火の間の位置に設定しておいたときに、第１ラッチ式電磁弁ＬＢ１と第２ラッチ式電磁弁ＬＢ２との開・閉の組み合わせに応じて、コンロバーナ３の火力が制御部５０により調整制御される。
【００６２】
流量制御弁６５用の弁孔の下流側は、コンロバーナ３にガスを供給するための導出口６１ｂに至る。
【００６３】
器具栓本体６０には、点消火ボタン１１に連動して作動する作動部材としてスライダ６６が前後方向に移動自在、かつ、前方にバネ付勢して装備されている。スライダ６６は、前端面が点消火ボタン１１により後方に押圧されることでバネ付勢力に抗して後退するようになっている。
【００６４】
点消火ボタン１１は、前後動自在に設けられるもので、前記点消火ボタン１１の指で押される部分よりも上側の部分がコンロ本体側に枢支されて、指で押される部分が前後動し、スライダ６６の前端面を後方に押圧する。
【００６５】
スライダ６６には、ガス弁ブロック１０６の下部に設けた周知構造のハート型カム機構９０によって、図７（Ａ）〜（Ｃ）に示すように、前方の「消火位置」（ａ）、最後方の「点火位置」（ｂ）、及び、その少し前方の「燃焼位置」（ｃ）に切替え保持可能となっている。すなわち、図７に示すように、点消火ボタン１１を大きく押し操作することで、スライダ６６がバネ付勢力に抗して「消火位置」（ａ）から「点火位置」（ｂ）に至り、点消火ボタン８の押し操作を解除すると「点火位置」（ｂ）から少し前方に付勢復帰して「燃焼位置」（ｃ）に安定保持される。そして、点消火ボタン１１を再び大きく押し操作した後、押し操作を解除すると、スライダ６６は「燃焼位置」（ｃ）から一旦後方に移動された後、バネ付勢力で前方に移動して「消火位置」（ａ）に復帰するようになっている。
【００６６】
また、器具栓本体６０には、スライダ６６の進退に伴って進退するバルブロッド６７が前方へバネ付勢して組み込んであり、スライダ６６が「消火位置」（ａ）にある時には、スライダ６６の後端とバルブロッド６７の前端とは間隙をもって対向している。つまり、「消火位置」（ａ）にあるスライダ６６がバルブロッド６７の前端に当接するまでのストロークが、メイン弁（主弁）６３が閉じられた状態を維持する「遊びストローク」ｓとなっている。
【００６７】
また、バルブロッド６７の先端側は、ガス流路６１内に挿入され、その先端部は、後方すなわち下流側より上流側に向けて、メイン弁（主弁）６３用の弁孔と安全弁６２用の弁孔とに挿通されている。バルブロッド６７は、スライダ６６が「消火位置」（ａ）から「燃焼位置」（ｃ）に切り替わる際、一旦「燃焼位置」（ｃ）よりも後方の「点火位置」（ｂ）に後退してから「燃焼位置」（ｃ）にまで前進するが、この「燃焼位置」（ｃ）に移動した時に、安全弁６２用の弁孔を上流側より閉止している安全弁６２の弁体を、上流側に移動させて、安全弁６２用の弁孔を開放する。
【００６８】
安全弁６２は電磁弁からなり、弁体が前方、すなわち下流側に前進することで安全弁６２用の弁孔を後方より閉止し、弁体が後方、すなわち上流側に後退することで安全弁６２用の弁孔を開放する。
【００６９】
安全弁６２は、点火検知装置２４により火炎が検知されている場合にのみ制御部５０により開放状態が維持され、火炎が検知されなくなると制御部５０による開放状態の維持が停止して閉止される。これにより、煮こぼれや風により立ち消えが起こって点火検知装置２４で火炎が検知されなくなった場合に、燃料ガスの流出が防止される。
【００７０】
制御部５０は、温度センサ２６により検出された調理容器の下面の温度が、所定の温度（例えば２７０℃）に達すると、空焚きや焦げ付き等の異常が発生していると判定して、安全弁６２を閉止する。
【００７１】
このように、安全弁６２、点火検知装置２４、温度センサ２６により異常を検知して燃料ガスの供給を停止する異常検知手段が構成されている。
【００７２】
バルブロッド６７の途中には、メイン弁（主弁）６３用の弁孔を開閉するメイン弁（主弁）体が設けてある。そして、図７（Ａ）に示すように、スライダ６６が「消火位置」（ａ）にある時には、バルブロッド６７はスライダ６６から離反した自由状態にあり、メイン弁（主弁）体がメイン弁（主弁）６３用の弁孔を後方より付勢閉止する。また、図７（Ｂ）に示すように、スライダ６６が「点火位置」（ｂ）にある時には、スライダ６６によってバルブロッド６７が大きく後方に当接移動され、メイン弁（主弁）体がメイン弁（主弁）６３用の弁孔より大きく後方に位置してメイン弁（主弁）６３用の弁孔を大きく開放する。また、図７（Ｃ）に示すように、スライダ６６が「燃焼位置」（ｃ）にある時には、スライダ６６によってバルブロッド６７が少し後方に当接移動され、メイン弁（主弁）体がメイン弁６３用の弁孔より所定量だけ後方に位置してメイン弁６３用の弁孔を所定の開度で開放する。
【００７３】
流量制御弁６５用の弁孔は、火力調整用のニードル６５ａの前後方向の移動により開度が自在に調節される。ニードル６５ａは、火力調節レバー１２を左右に移動操作することで開度の調節がなされ、火力調節レバー１２が右に行く程、燃料ガスの供給量が多くなるように調節される。
【００７４】
点消火ボタン１１又はスライダ６６の位置によりＯＮ／ＯＦＦが切り替わる器具栓スイッチ９１と点火器スイッチ９２とを設けてある。器具栓スイッチ９１は、スライダ６６が前方の「消火位置」（ａ）に位置している時にはＯＦＦとなり、後方の「燃焼位置」（ｃ）及び「点火位置」（ｂ）に位置している時にＯＮとなる。また、点火器スイッチ９２は、スライダ６６が最後方の「点火位置」（ｂ）に位置している時にだけＯＮとなり、それより前方の位置ではＯＦＦとなる。
【００７５】
コンロバーナ３の点火を行うには、点消火ボタン１１を押し操作、すなわち、点火操作して、スライダ６６を「消火位置」（ａ）から「点火位置」（ｂ）に後退させる。スライダ６６とともに後退したバルブロッド６７により、安全弁６２が開放されると共にメイン弁６３が開放されるが、この実施形態では、従来と異なり、第１ラッチ式電磁弁ＬＢ１及び第２ラッチ式電磁弁ＬＢ２は、開放されず、後述の所定の遅延時間が経過するまで閉止状態を維持し、その後、両ラッチ式電磁弁ＬＢ１，ＬＢ２が開放され、燃料ガスがコンロバーナ３に供給される。
【００７６】
また、スライダ６６が後退することにより、器具栓スイッチ９１がＯＮとなり、制御部５０への給電がＯＮとなって制御部５０が動作を開始する。そして、安全弁６２が開き始めた時点で、「点火位置」（ｂ）にまで後退したスライダ６６によって点火器スイッチ９２がＯＮとなり、この点火器スイッチ９２の出力が制御部５０に与えられる。
【００７７】
器具栓スイッチ９１がＯＮして給電が開始された制御部５０は、第１ラッチ式電磁弁ＬＢ１及び第２ラッチ式電磁弁ＬＢ２の閉止状態を、所定の遅延時間が経過するまで維持する一方、その間に、後述のように報知手段としてのブザー５１を駆動してコンロバーナ３を点火することを使用者に報知した後、両ラッチ式電磁弁ＬＢ１，ＬＢ２を開放して燃料ガスをコンロバーナ３に供給し、点火器スイッチ９２のＯＮによって、点火装置２３のイグナイタを作動させて点火プラグの放電を開始し、コンロバーナ３の点火が開始される。
【００７８】
点火動作によるコンロバーナ３への着火が点火検知装置２４で検知されると、制御部５０は安全弁６２を開放状態に保持し、コンロバーナ３の点火を継続する。
【００７９】
その後、点消火ボタン１１の押し操作を解除すると、スライダ６６は「点火位置」（ｂ）より少し前方の「燃焼位置」（ｃ）にまで付勢復帰して安定保持され、コンロバーナ３は引き続き燃焼状態に維持される。
【００８０】
点消火ボタン１１が押し操作されて加熱が開始されると、火力調節レバー１２を操作することで、所望の火力が得られる。なお、コンロバーナ３の火力調節レバー１２は、該コンロバーナ３の点消火ボタン１１を操作して点火を行う時、点消火ボタン１１の操作と連動して火力が中火力側に移動するようになっていて、点火時には中程度の火力となっている。
【００８１】
また、コンロバーナ３が燃焼している状態で点消火ボタン１１を再度大きく押し込んだ後、その押し込みを解除すると、スライダ６６は「燃焼位置」（ｃ）から一旦後方に移動した後、「消火位置」（ａ）に付勢復帰してメイン弁６３が閉止し、コンロバーナ３が消火される。
【００８２】
そして、グリルを含む全ての点消火ボタン１１のスライダ６６を「消火位置」（ａ）にすると、各バーナの全てのメイン弁６３が閉止して消火され、かつ、各バーナの全ての器具栓スイッチ９１がＯＦＦになり、各バーナの安全弁６２が閉止すると共に、制御部５０は、第１ラッチ式電磁弁ＬＢ１及び第２ラッチ式電磁弁ＬＢを閉止する。更に、制御部５０は、該制御部５０の給電状態を保持するための電源保持信号の出力を停止し、これによって制御部５０への給電が終了する。
【００８３】
この実施形態では、使用者の身体の一部が、点消火ボタン１１に無意識に接触して、意図せずに点火操作していまい、コンロバーナ３が点火して使用者が驚くといった事態が生じるのを防止するために、次のように構成している。
【００８４】
すなわち、この実施形態では、点消火ボタン１１の点火操作がされたときには、上記のように、コンロバーナ３を点火する前に、制御部５０がブザー５１を駆動して、使用者に対して、コンロバーナ３を点火することを報知音によって事前に報知し、この事前の報知が終了した後に、コンロバーナ３を点火するようにしている。
【００８５】
具体的には、次のような手順となる。先ず、使用者が、点消火ボタン１１を押し操作、つまり使用者が点火操作をして、スライダ６６を「消火位置」（ａ）から「点火位置」（ｂ）に後退させ、スライダ６６と共に、後退したバルブロッド６７により、安全弁６２が開放されると共にメイン弁６３が開放される。また、スライダ６６が後退することにより、器具栓スイッチ９１がＯＮとなり、制御部５０への給電がＯＮとなって制御部５０が動作を開始する。また、点火器スイッチ９２がＯＮとなる。
【００８６】
制御部５０は、動作を開始した直後には、第１ラッチ式電磁弁ＬＢ１及び第２ラッチ式電磁弁ＬＢ２を直ちに開放するのではなく、点火を事前に報知するために、上記のように所定の遅延時間が経過する迄、閉止状態を継続し、コンロバーナ３に燃料ガスが供給されないようにしている。
【００８７】
また、動作を開始した制御部５０は、ブザー５１を駆動して、前記所定の遅延時間が経過するまで、点火前の事前の報知を実行した後、第１ラッチ式電磁弁ＬＢ１及び第２ラッチ式電磁弁ＬＢ２を開弁すると共に、点火装置２３のイグナイタを作動させて点火プラグの放電を開始する。これによって、コンロバーナ３に燃料ガスが供給され、コンロバーナ３に点火するようにしている。
【００８８】
このようにコンロバーナ３の点火操作がなされると、事前の報知を行った後に、コンロバーナ３に点火するようにしているので、使用者の身体の一部が、点消火ボタン１１に無意識に接触して、意図せずに点火操作してしまった場合に、使用者は、コンロバーナ３の点火を事前に認識できることになり、コンロバーナ３が点火して使用者が驚くといった事態が生じるのを抑制することができ、使い勝手の良いガスコンロ１となる。
【００８９】
更に、この実施形態では、点火するコンロバーナ３の天板５における位置に応じて、報知の態様を異ならせるようにしている。
【００９０】
具体的には、点火するコンロバーナ３が、使用者に近い側である前方側に位置するコンロバーナ３Ａ，３Ｃであるときには、使用者から遠い側である後方側に位置するコンロバーナ３Ｂであるときに比べて、事前の報知の実行時間、すなわち、報知時間を長くすると共に、報知音を大きくしている。
【００９１】
なお、他の実施形態として、報知時間は同じとし、報知音を大きくしてもよいし、逆に報知時間を長くし、報知音は同じとしてもよい。
【００９２】
この実施形態では、点火するコンロバーナ３が、前方側のコンロバーナ３Ａ，３Ｃのときには、報知時間を、例えば、３秒とし、点火するコンロバーナ３が、後方側のコンロバーナ３Ｂのときには、報知時間を、例えば、１．５秒としている。なお、報知時間は、上記に限らず、長くてもよいし、短くてもよい。
【００９３】
このように点火するコンロバーナ３の天板５における位置によって、事前の報知を行う報知時間を異ならせるので、制御部５０は、点消火ボタン１１による点火操作がされた時点から第１，第２ラッチ式電磁弁ＬＢ１，ＬＢ２を開弁するまでの所定の遅延時間を、点火するコンロバーナ３の天板５における位置によって異ならせて前記報知時間を確保するようにしている。
【００９４】
このように点火するコンロバーナ３が、使用者に近い側である前方側のコンロバーナ３Ａ，３Ｃであるか、使用者から遠い側である後方側のコンロバーナ３Ｂであるかによって事前の報知の態様を異ならせ、点火するコンロバーナ３が、前方側のコンロバーナ３Ａ，３Ｃであるときには、後方側のコンロバーナ３Ｂであるときに比べて、報知時間を長く、報知音の音量を大きくしているので、使用者に近い側である前方側のコンロバーナ３Ａ，３Ｃの点火を、使用者に強く認識させることができる。したがって、使用者が意図せずに、使用者に近い側のコンロバーナ３Ａ，３Ｃのいずれかの点消火ボタン１１Ａ，１１Ｃに接触して点消火ボタン１１Ａ，１１Ｃを点火操作してしまった場合にも、使用者は、コンロバーナ３Ａ，３Ｃのいずれかが点火されることを、より確実に認識できるので、使用者に近い側のコンロバーナ３Ａ，３Ｃのいずれかが意図せずに点火されても使用者が驚いてしまうといった事態を有効に回避することができる。
【００９５】
本実施形態のガスコンロ１は、上記のように、調理容器がコンロバーナ３上の所定の加熱位置にあるか否か、すなわち、五徳７への調理容器の載置の有無を検知する容器検知手段２５を備えている。
【００９６】
制御部５０は、調理容器が容器検知手段２５により検知される場合には、点火操作時点から所定の遅延時間（例えば、３秒または１．５秒）経過する迄にブザー５１を駆動して事前の報知を行い、前記遅延時間が経過した後に、第１ラッチ式電磁弁ＬＢ１及び第２ラッチ式電磁弁ＬＢ２を開弁してコンロバーナ３を点火し、コンロバーナ３による加熱を開始する。
【００９７】
これに対して、制御部５０は、調理容器が容器検知手段２５により検知されない場合には、点火操作時点から所定の遅延時間（例えば、３秒または１．５秒）経過しても第１ラッチ式電磁弁ＬＢ１及び第２ラッチ式電磁弁ＬＢ２を開弁しない、すなわち、燃料ガスを供給せず、コンロバーナ３に点火しないように構成されている。なお、この場合は、コンロバーナ３を点火しないので、ブザー５１による事前の報知は行わない。
【００９８】
つまり、容器検知手段２５により調理容器が検知されていない時に点消火ボタン１１を操作した場合には、制御部５０により第１ラッチ式電磁弁ＬＢ１及び第２ラッチ式電磁弁ＬＢ２の閉止状態が維持されて、加熱を開始しないようにする容器検知制御が行われ、五徳７上に調理容器が載置されていない場合には、コンロバーナ３に炎が形成されないように構成している。
【００９９】
このように、コンロバーナ３の点火を事前に報知するための所定の遅延時間を確保する第１ラッチ式電磁弁ＬＢ１及び第２ラッチ式電磁弁ＬＢ２を有効に利用して、五徳７に調理容器が載置されていないときにコンロバーナ３の点火を行わない容器検知制御を行うようにしているので、ガスコンロ１の製造コストを低減することができる。
【０１００】
この実施形態では、メイン弁（主ガス弁）６３が、点消火ボタン１１の点火操作と機械的に連動して開弁するように構成されたガスコンロ１において、ガス流路６１に、メイン弁（主ガス弁）６３と直列に、点火操作時点から所定時間（３秒、または、１．５秒）遅延させた後に開弁する第１，第２ラッチ式電磁弁ＬＢ１，ＬＢ２を備え、点消火ボタン１１によって点火操作が行われてから、所定時間（例えば、３秒、または、１．５秒）遅延させてコンロバーナ３の点火を事前に報知した後、コンロバーナ３に燃料ガスを供給するようにしている。
【０１０１】
これによって、メイン弁（主ガス弁）６３が、点消火ボタン１１の点火操作と機械的に連動して開弁するガスコンロ１において、使用者の身体の一部が、点消火ボタン１１に無意識に接触して、意図せずに点火操作していまい、コンロバーナ３が点火しても、使用者は、コンロバーナ３の点火前の事前の報知によって、コンロバーナ３が点火することを認識できるので、使用者が驚くといった事態が生じるのが抑制されるように配慮された、使い勝手の良いガスコンロ１となる。
【０１０２】
上記施形態では、コンロバーナ３を点火する前の事前の報知を、ブザー５１によって行ったけれども、本発明の他の実施形態として、制御部５０のメモリに、予め報知用のメッセージ（例えば、「コンロバーナを点火します」等）を格納しておき、このメッセージを、報知手段を構成するスピーカによって音声で報知するようにしてもよい。
【０１０３】
また、事前の報知は、音に限らず、光によって報知するようにしてもよい。
【０１０４】
例えば、各コンロバーナ３Ａ〜３Ｃが燃焼状態であることをそれぞれ点灯表示する各燃焼ランプ１６Ａ〜１６Ｃを、点滅表示して対応するコンロバーナ３Ａ〜３Ｃが点火されることを事前に報知してもよい。
【０１０５】
この場合、前方側のコンロバーナ３Ａ，３Ｃの燃焼ランプ１６Ａ，１６Ｃでは、後方側のコンロバーナ３Ｂの燃焼ランプ１６Ｂに比べて報知時間を長くしたり、点滅表示の際の光量を大きくしたり、あるいは、点滅の周期を短くしたりして報知の態様を異ならせるのが好ましい。
【０１０６】
光量や点滅周期に限らず、輝度レベルや発光色を異ならせて報知の態様を異ならせてもよい。
【０１０７】
上記実施形態では、メイン弁（主ガス弁）６３が、点消火ボタン１１による点火操作と機械的に連動して開弁するように構成されているが、メイン弁（主弁）６３を電磁弁などの電動弁により構成しておき、点消火ボタン１１による点火操作を電気的に検出し、制御部５０が電動弁により構成されたメイン弁（主弁）６３を電気的に開閉するように構成することも可能である。
【０１０８】
この場合、メイン弁（主弁）６３を、点消火ボタン１１による点火操作の時点から所定時間遅延した時点で開弁するようにすれば、上記実施形態において、大火力と小火力の切替えを行わない場合には、ラッチ式電磁弁ＬＢ１，ＬＢ２を省略することができる。
【０１０９】
上記のようにコンロバーナ３の点火を事前に報知する機能に加えて、この実施形態では、使用者に近い側である前方側コンロバーナである高火力バーナ３Ａ，３Ｃの点消火ボタン１１Ａ，１１Ｃを、使用者が意図せずに操作してしまうのを抑制するために、次のように構成している。
【０１１０】
すなわち、グリル扉１５を挟む左右両側にそれぞれ配置された各一対の点消火ボタン１１Ａ，１１Ｂ；１１Ｃ，１１Ｄにおいて、前方側のコンロバーナである高火力バーナ３Ａ，３Ｃの点消火ボタン１１Ａ，１１Ｃを、ガスコンロ本体２の左右方向の中央側、すなわち、内側であるグリル扉１５に近接する側の位置に配置している。
【０１１１】
つまり、高火力バーナ３Ａ，３Ｃの点消火ボタン１１Ａ，１１Ｃは、各一対の点消火ボタン１１Ａ，１１Ｂ；１１Ｃ，１１Ｄにおいて、ガスコンロ本体２の左右方向の両端側、すなわち、外側ではなく、グリル扉１５に近接する側である内側にそれぞれ配置している。
【０１１２】
なお、上記特許文献１では、２つの前方側コンロバーナの点消火ボタンは、外側に配置されている。
【０１１３】
このように前方側コンロバーナである高火力バーナ３Ａ，３Ｃの点消火ボタン１１Ａ，１１Ｃを、ガスコンロ本体２の左右方向の内側に配置しているので、各点消火ボタン１１Ａ，１１Ｃは、前記左右方向において、前方側へ突出した把持部１５Ａを有する内側のグリル扉１５と、前方側へ突出した外側の中間部材１４，１４とによって挟まれた位置となっている。このため、使用者の身体の一部が意図せずに、グリル扉１５と中間部材１４，１４とによって挟まれた位置にある各点消火ボタン１１Ａ，１１Ｃのいずれかの点消火ボタン１１Ａ，１１Ｃに接触して、不用意に押し操作するのを抑制することができる。
【０１１４】
しかも、本実施形態では、グリル扉１５の把持部１５Ａは、図１に示されるように、各点消火ボタン１１Ａ〜１１Ｄの前方側への突出距離Ｄ１よりも前方側への突出距離Ｄ２が大きいので、使用者の身体の一部が、意図せずに、点消火ボタン１１Ａ，１１Ｃのいずれかの点消火ボタンに接触して押し操作する虞が一層少なくなる。
【０１１５】
上記実施形態では、前方側コンロバーナの火力を、高火力とし、後方側コンロバーナの火力を、小火力としたけれど、火力は、これに限るものではなく、任意である。
【０１１６】
上記実施形態では、点消火ボタンは、ガスコンロの前面部から前方側へ突出していたが、必ずしも前方側に突出していなくてもよく、例えば、前面部と略面一であってもよい。
【０１１７】
本発明は、上記実施形態に限定されるものではなく、本発明の範囲内において種々の変形を加えることが可能である。
【符号の説明】
【０１１８】
１                        ガスコンロ
２                        ガスコンロ本体
３Ａ                      高火力バーナ（前方側コンロバーナ）
３Ｂ                      小火力バーナ（後方側コンロバーナ）
３Ｃ                      高火力バーナ（前方側コンロバーナ）
１１，１１Ａ〜１１Ｄ      点消火ボタン
４                        グリル庫
５                        天板
９                        前面パネル
１４                      中間部材
１５                      グリル扉
１５Ａ                    把持部
２３                      点火装置
２４                      点火検知装置
２５                      容器検知手段
２６                      温度センサ
５０                      制御部（制御手段）
５１                      ブザー
６１                      ガス流路
６３                      メイン弁
ＬＢ１                    第１ラッチ式電磁弁
ＬＢ２                    第２ラッチ式電磁弁
【図１】
0006707398.tif 000002
【図２】
0006707398.tif 000003
【図３】
0006707398.tif 000004
【図４】
0006707398.tif 000005
【図５】
0006707398.tif 000006
【図６】
0006707398.tif 000007
【図７】
0006707398.tif 000008